(57)【要約】【課題】第１のデータ処理装置で受け渡しの操作を行ったデータの内、特定のものだけを第２のデータ処理装置に受け渡すことができ、データ名等をリスト表示してユーザーに選択させる必要のないデータ受け渡しシステム等を提供する。【解決手段】第１のデータ処理装置１のタッチパネル１６上で、データまたはデータを示すオブジェクトに対してユーザーが第１のタッチ操作を行うと、データまたはデータを示すオブジェクトに対応するデータが外部記憶装置５に転送される。第１のデータ処理装置１は、外部記憶装置へ転送されたデータの中から、第２のデータ処理装置２から送信された抽出条件に該当するデータのみを抽出し、そのデータを取得するための情報を、第２のデータ処理装置に送信し、第２のデータ処理装置２はデータ取得用情報に基づいて外部記憶装置５からデータを取得する。【選択図】  図４
2014238797.tif 000002
【特許請求の範囲】
【請求項１】
相互に接続可能な第１のデータ処理装置と第２のデータ処理装置とを備えたデータ受け渡しシステムであって、
前記第１のデータ処理装置は、
１個または複数個のデータを記憶するデータ記憶手段と、
前記各データまたはデータを示すオブジェクトを表示可能な表示手段と、
タッチパネルと、
前記データまたはデータを示すオブジェクトに対して行われる前記タッチパネルの第１のタッチ操作を検出する検出手段と、
前記検出手段により前記第１のタッチ操作が検出されたときは、第１のタッチ操作が行われたデータまたはデータを示すオブジェクトに対応するデータを外部記憶装置に転送する転送手段と、
前記外部記憶装置に転送されたデータ毎に該データを抽出するための抽出用情報を記憶する抽出用情報記憶手段と、
前記第２のデータ処理装置からデータ取得要求を抽出条件と共に受信する受信手段と、
前記受信した抽出条件に該当するデータを、前記抽出用情報記憶手段に記憶されている前記外部記憶装置へ転送されたデータの抽出用情報に基づいて抽出する抽出手段と、
前記抽出手段により抽出されたデータを取得するためのデータ取得用情報を前記第２のデータ処理装置に送信する送信手段と、
を備え、
前記第２のデータ処理装置は、
表示手段と、
タッチパネルと、
前記タッチパネルの第２のタッチ操作を検出する検出手段と、
前記検出手段により前記第２のタッチ操作が検出されたときは、受け渡し元の前記第１のデータ処理装置に対して、予め設定された抽出条件と共にデータの取得要求を送信する送信手段と、
前記第１のデータ処理装置から前記データ取得用情報を受信する受信手段と、
前記受信手段により受信したデータ取得用情報に基づいて前記外部記憶装置からデータを取得するデータ取得手段と、
を備えたことを特徴とするデータ受け渡しシステム。
【請求項２】
前記データの抽出用情報は、前記第１のデータ処理装置で前記第１の操作が行われた時間に関する情報であり、前記抽出条件は、前記第１の操作が前記第２のデータ処理装置における前記第２の操作前一定時間内に行われたデータの抽出である請求項１に記載のデータ受け渡しシステム。
【請求項３】
前記データの抽出用情報は、前記第１のデータ処理装置での前記第１の操作が行われた場所に関する情報であり、前記抽出条件は、前記第１の操作が前記第２のデータ処理装置における前記第２の操作が行われた場所と同一または一定範囲内の場所で行われたデータの抽出である請求項１に記載のデータ受け渡しシステム。
【請求項４】
前記データの抽出用情報は、前記第１のデータ処理装置での前記第１の操作時の指の本数に関する情報であり、前記抽出条件は、前記第１の操作時の指の本数が前記第２のデータ処理装置における前記第２の操作時の指の本数と同じデータの抽出である請求項１に記載のデータ受け渡しシステム。
【請求項５】
前記データの抽出用情報はデータの種類に関する情報であり、前記抽出条件は、前記データの種類が前記第２のデータ処理装置における前記第２の操作時に開かれているアプリケーションでの処理が可能な種類のデータの抽出である請求項１に記載のデータ受け渡しシステム。
【請求項６】
前記データの抽出用情報は、前記第１のデータ処理装置で前記第１の操作が行われた時間に関する情報であり、前記抽出条件は、前記第１の操作時の時間が新しいものから順に、前記第２のデータ処理装置における前記第２の操作時の指の移動量に応じて決定される範囲までのデータの抽出である請求項１に記載のデータ受け渡しシステム。
【請求項７】
前記データの抽出用情報は、前記第１のデータ処理装置で前記第１の操作が行われた時間に関する情報であり、前記抽出条件は、前記第１の操作時の時間が新しいものから順に、前記第２のデータ処理装置における前記第２の操作時の指の速度に応じて決定される範囲までのデータの抽出である請求項１に記載のデータ受け渡しシステム。
【請求項８】
前記データの抽出用情報は、前記第１のデータ処理装置での前記第１の操作時のネットワーク環境に関する情報であり、前記抽出条件は、前記第１の操作時のネットワーク環境が前記第２のデータ処理装置における前記第２の操作時のネットワーク環境と同一のデータの抽出である請求項１に記載のデータ受け渡しシステム。
【請求項９】
前記データの抽出用情報はデータの権限に関する情報であり、前記抽出条件は、前記権限が前記第２のデータ処理装置における前記第２の操作を行ったユーザーの権限で参照可能な範囲内のデータの抽出である請求項１に記載のデータ受け渡しシステム。
【請求項１０】
前記データの抽出用情報は、前記第１のデータ処理装置で前記第１の操作が行われた時間に関する情報であり、前記抽出条件は、前記第１の操作時の時間が新しいものから順に、前記第２のデータ処理装置における前記第２の操作時の指と前記タッチパネルとの接触時間に応じて決定される範囲までのデータの抽出である請求項１に記載のデータ受け渡しシステム。
【請求項１１】
相互に接続可能な第１のデータ処理装置と第２のデータ処理装置とを備えたデータ取得システムで実行されるデータ受け渡し方法であって、
前記第１のデータ処理装置は、
データ記憶手段に記憶された１個または複数個のデータまたはデータを示すオブジェクトを表示手段に表示する表示ステップと、
前記表示されたデータまたはデータを示すオブジェクトに対して行われるタッチパネルの第１のタッチ操作を検出する検出ステップと、
前記検出ステップにおいて前記第１のタッチ操作が検出されたときは、第１のタッチ操作が行われたデータまたはデータを示すオブジェクトに対応するデータを外部記憶装置に転送する転送ステップと、
前記外部記憶装置に転送されたデータ毎に該データを抽出するための抽出用情報を抽出用情報記憶手段に記憶するステップと、
前記第２のデータ処理装置からデータ取得要求を抽出条件と共に受信する受信ステップと、
前記受信した抽出条件に該当するデータを、前記抽出用情報記憶手段に記憶されている前記外部記憶装置へ転送されたデータの抽出用情報に基づいて抽出する抽出ステップと、
前記抽出ステップにおいて抽出されたデータを取得するためのデータ取得用情報を前記第２のデータ処理装置に送信する送信ステップと、
を実行し、
前記第２のデータ処理装置は、
タッチパネルの第２のタッチ操作を検出する検出ステップと、
前記検出ステップにおいて前記第２のタッチ操作が検出されたときは、受け渡し元の前記第１のデータ処理装置に対して、予め設定された抽出条件と共にデータの取得要求を送信する送信ステップと、
前記第１のデータ処理装置から前記データ取得用情報を受信する受信ステップと、
前記受信ステップにおいて受信したデータ取得用情報に基づいて前記外部記憶装置からデータを取得するデータ取得ステップと、
を実行することを特徴とするデータ受け渡し方法。
【請求項１２】
請求項１〜１１のいずれかに記載のデータ受け渡しシステムにおいて、第１のデータ処理装置として用いられるデータ処理装置。
【請求項１３】
請求項１〜１１のいずれかに記載のデータ受け渡しシステムにおいて、第２のデータ処理装置として用いられるデータ処理装置。
【請求項１４】
１個または複数個のデータを記憶するデータ記憶手段と、
前記各データまたはデータを示すオブジェクトを表示可能な表示手段と、
タッチパネルと、
前記データまたはデータを示すオブジェクトに対して行われる前記タッチパネルの第１のタッチ操作及び第２のタッチ操作を検出する検出手段と、
前記検出手段により前記第１のタッチ操作が検出されたときは、第１のタッチ操作が行われたデータまたはデータを示すオブジェクトに対応するデータを外部記憶装置に転送する転送手段と、
前記外部記憶装置に転送されたデータ毎に該データを抽出するための抽出用情報を記憶する抽出用情報記憶手段と、
前記検出手段により前記第２のタッチ操作が検出されたときは、予め設定された抽出条件に該当するデータを、前記抽出用情報記憶手段に記憶されている前記外部記憶装置へ転送されたデータの抽出用情報に基づいて抽出する抽出手段と、
前記抽出手段により抽出されたデータを取得するためのデータ取得用情報に基づいて前記データを取得するデータ取得手段と、
を備えたことを特徴とするデータ処理装置。
【発明の詳細な説明】
【技術分野】
【０００１】
この発明は、第１のデータ処理装置に保存されているファイル等のデータを、タッチパネルのタッチ操作により第２のデータ処理装置にコピーまたは移動等により受け渡すことができるデータ受け渡しシステム、データ受け渡し方法及びデータ処理装置に関する。
【背景技術】
【０００２】
スマートフォン、タブレット端末、画像処理装置等、データの保存、閲覧等が可能なデータ処理装置の操作パネルとして、昨今では、マルチタッチ操作可能なタッチパネルを備えたものが使用されるようになっている。
【０００３】
このようなデータ処理装置に保存されているデータを、タッチパネルの操作により簡単に他のデータ処理装置にコピーまたは移動等により受け渡すことができる技術が既に提案されている（例えば特許文献１及び２）。
【０００４】
この技術によれば、一方のデータ処理装置で、表示部に表示されたデータまたはデータを示すオブジェクトに対してタッチパネル上で所定領域までのドラッグ操作を含む「つまむ」操作というタッチ操作を行い、他方のファイル処理装置のタッチパネル上で「はなす」操作というタッチ操作を行うと、前記データまたはデータを示すオブジェクトに対応するデータが一方のデータ処理装置から他方のデータ処理装置へコピーまたは移動され、データの受け渡しを簡単に行うことができる、というものである。
【先行技術文献】
【特許文献】
【０００５】
【特許文献１】特開２０１２−１６８５９７号公報
【特許文献２】特開２０１３−２０４１２号公報
【発明の概要】
【発明が解決しようとする課題】
【０００６】
上記のように従来のデータ受け渡しシステムを使用した場合、第１のデータ処理装置側で複数回データまたはデータを示すオブジェクトに対して「つまむ」操作を行うと、受け渡し予定のデータが複数個存在することになる。この状態で、ユーザーが第２のデータ処理装置で「はなす」操作を行うとこれら複数個のデータの全てが第２のデータ処理装置に受け渡されてしまう。
【０００７】
しかし、データの全てが第２のデータ処理装置に受け渡されるのでは、本来意図していないデータが受け渡される恐れがあり、また場合によっては情報流出の恐れもある。
【０００８】
なお、第２のデータ処理装置で「はなす」操作をする際に、受け渡し予定のデータのリストを表示し、ユーザーが望むデータのみを選択することにより、上記の問題を解決できるが、ユーザーの選択操作という別の操作が必要となるため、操作性が低下してしまうという別の問題がある。
【０００９】
しかも、表示したリスト上にはデータ名等が表示されることになり、他のユーザーにデータを受け渡す場合には、不必要な情報を見られてしまうという機密上の問題もある。
【００１０】
この発明は、上記実情に鑑みてなされたものであり、第１のデータ処理装置で受け渡しの操作を行ったデータの内、特定のものだけを第２のデータ処理装置に受け渡すことができ、しかもデータ名等をリスト表示してユーザーに選択させる必要のないデータ受け渡しシステム、データ受け渡し方法及びデータ処理装置の提供を課題とする。
【課題を解決するための手段】
【００１１】
上記課題は以下の手段によって解決される。
（１）相互に接続可能な第１のデータ処理装置と第２のデータ処理装置とを備えたデータ受け渡しシステムであって、前記第１のデータ処理装置は、１個または複数個のデータを記憶するデータ記憶手段と、前記各データまたはデータを示すオブジェクトを表示可能な表示手段と、タッチパネルと、前記データまたはデータを示すオブジェクトに対して行われる前記タッチパネルの第１のタッチ操作を検出する検出手段と、前記検出手段により前記第１のタッチ操作が検出されたときは、第１のタッチ操作が行われたデータまたはデータを示すオブジェクトに対応するデータを外部記憶装置に転送する転送手段と、前記外部記憶装置に転送されたデータ毎に該データを抽出するための抽出用情報を記憶する抽出用情報記憶手段と、前記第２のデータ処理装置からデータ取得要求を抽出条件と共に受信する受信手段と、前記受信した抽出条件に該当するデータを、前記抽出用情報記憶手段に記憶されている前記外部記憶装置へ転送されたデータの抽出用情報に基づいて抽出する抽出手段と、前記抽出手段により抽出されたデータを取得するためのデータ取得用情報を前記第２のデータ処理装置に送信する送信手段と、を備え、前記第２のデータ処理装置は、表示手段と、タッチパネルと、前記タッチパネルの第２のタッチ操作を検出する検出手段と、前記検出手段により前記第２のタッチ操作が検出されたときは、受け渡し元の前記第１のデータ処理装置に対して、予め設定された抽出条件と共にデータの取得要求を送信する送信手段と、前記第１のデータ処理装置から前記データ取得用情報を受信する受信手段と、前記受信手段により受信したデータ取得用情報に基づいて前記外部記憶装置からデータを取得するデータ取得手段と、を備えたことを特徴とするデータ受け渡しシステム。
（２）前記データの抽出用情報は、前記第１のデータ処理装置で前記第１の操作が行われた時間に関する情報であり、前記抽出条件は、前記第１の操作が前記第２のデータ処理装置における前記第２の操作前一定時間内に行われたデータの抽出である前項１に記載のデータ受け渡しシステム。
（３）前記データの抽出用情報は、前記第１のデータ処理装置での前記第１の操作が行われた場所に関する情報であり、前記抽出条件は、前記第１の操作が前記第２のデータ処理装置における前記第２の操作が行われた場所と同一または一定範囲内の場所で行われたデータの抽出である前項１に記載のデータ受け渡しシステム。
（４）前記データの抽出用情報は、前記第１のデータ処理装置での前記第１の操作時の指の本数に関する情報であり、前記抽出条件は、前記第１の操作時の指の本数が前記第２のデータ処理装置における前記第２の操作時の指の本数と同じデータの抽出である前項１に記載のデータ受け渡しシステム。
（５）前記データの抽出用情報はデータの種類に関する情報であり、前記抽出条件は、前記データの種類が前記第２のデータ処理装置における前記第２の操作時に開かれているアプリケーションでの処理が可能な種類のデータの抽出である前項１に記載のデータ受け渡しシステム。
（６）前記データの抽出用情報は、前記第１のデータ処理装置で前記第１の操作が行われた時間に関する情報であり、前記抽出条件は、前記第１の操作時の時間が新しいものから順に、前記第２のデータ処理装置における前記第２の操作時の指の移動量に応じて決定される範囲までのデータの抽出である前項１に記載のデータ受け渡しシステム。
（７）前記データの抽出用情報は、前記第１のデータ処理装置で前記第１の操作が行われた時間に関する情報であり、前記抽出条件は、前記第１の操作時の時間が新しいものから順に、前記第２のデータ処理装置における前記第２の操作時の指の速度に応じて決定される範囲までのデータの抽出である前項１に記載のデータ受け渡しシステム。
（８）前記データの抽出用情報は、前記第１のデータ処理装置での前記第１の操作時のネットワーク環境に関する情報であり、前記抽出条件は、前記第１の操作時のネットワーク環境が前記第２のデータ処理装置における前記第２の操作時のネットワーク環境と同一のデータの抽出である前項１に記載のデータ受け渡しシステム。
（９）前記データの抽出用情報はデータの権限に関する情報であり、前記抽出条件は、前記権限が前記第２のデータ処理装置における前記第２の操作を行ったユーザーの権限で参照可能な範囲内のデータの抽出である前項１に記載のデータ受け渡しシステム。
（１０）前記データの抽出用情報は、前記第１のデータ処理装置で前記第１の操作が行われた時間に関する情報であり、前記抽出条件は、前記第１の操作時の時間が新しいものから順に、前記第２のデータ処理装置における前記第２の操作時の指と前記タッチパネルとの接触時間に応じて決定される範囲までのデータの抽出である前項１に記載のデータ受け渡しシステム。
（１１）相互に接続可能な第１のデータ処理装置と第２のデータ処理装置とを備えたデータ取得システムで実行されるデータ受け渡し方法であって、前記第１のデータ処理装置は、データ記憶手段に記憶された１個または複数個のデータまたはデータを示すオブジェクトを表示手段に表示する表示ステップと、前記表示されたデータまたはデータを示すオブジェクトに対して行われるタッチパネルの第１のタッチ操作を検出する検出ステップと、前記検出ステップにおいて前記第１のタッチ操作が検出されたときは、第１のタッチ操作が行われたデータまたはデータを示すオブジェクトに対応するデータを外部記憶装置に転送する転送ステップと、前記外部記憶装置に転送されたデータ毎に該データを抽出するための抽出用情報を抽出用情報記憶手段に記憶するステップと、前記第２のデータ処理装置からデータ取得要求を抽出条件と共に受信する受信ステップと、前記受信した抽出条件に該当するデータを、前記抽出用情報記憶手段に記憶されている前記外部記憶装置へ転送されたデータの抽出用情報に基づいて抽出する抽出ステップと、前記抽出ステップにおいて抽出されたデータを取得するためのデータ取得用情報を前記第２のデータ処理装置に送信する送信ステップと、を実行し、前記第２のデータ処理装置は、タッチパネルの第２のタッチ操作を検出する検出ステップと、前記検出ステップにおいて前記第２のタッチ操作が検出されたときは、受け渡し元の前記第１のデータ処理装置に対して、予め設定された抽出条件と共にデータの取得要求を送信する送信ステップと、前記第１のデータ処理装置から前記データ取得用情報を受信する受信ステップと、前記受信ステップにおいて受信したデータ取得用情報に基づいて前記外部記憶装置からデータを取得するデータ取得ステップと、を実行することを特徴とするデータ受け渡し方法。
（１２）前項１〜１１のいずれかに記載のデータ受け渡しシステムにおいて、第１のデータ処理装置として用いられるデータ処理装置。
（１３）前求項１〜１１のいずれかに記載のデータ受け渡しシステムにおいて、第２のデータ処理装置として用いられるデータ処理装置。
（１４）１個または複数個のデータを記憶するデータ記憶手段と、前記各データまたはデータを示すオブジェクトを表示可能な表示手段と、タッチパネルと、前記データまたはデータを示すオブジェクトに対して行われる前記タッチパネルの第１のタッチ操作及び第２のタッチ操作を検出する検出手段と、前記検出手段により前記第１のタッチ操作が検出されたときは、第１のタッチ操作が行われたデータまたはデータを示すオブジェクトに対応するデータを外部記憶装置に転送する転送手段と、前記外部記憶装置に転送されたデータ毎に該データを抽出するための抽出用情報を記憶する抽出用情報記憶手段と、前記検出手段により前記第２のタッチ操作が検出されたときは、予め設定された抽出条件に該当するデータを、前記抽出用情報記憶手段に記憶されている前記外部記憶装置へ転送されたデータの抽出用情報に基づいて抽出する抽出手段と、前記抽出手段により抽出されたデータを取得するためのデータ取得用情報に基づいて前記データを取得するデータ取得手段と、を備えたことを特徴とするデータ処理装置。
【発明の効果】
【００１２】
前項（１）に記載の発明によれば、データまたはデータを示すオブジェクトに対してユーザーがタッチパネル上で第１のタッチ操作を行うと、この第１のタッチ操作が検出され、データまたはデータを示すオブジェクトに対応するデータが外部記憶装置に転送される。また、転送されたデータ毎に該データを抽出するための抽出用情報が記憶される。一方、データの受け渡し先の第２のデータ処理装置で、ユーザーがタッチパネル上で第２のタッチ操作を行うと、この第２のタッチ操作が検出され、第１のタッチ操作が行われた前記第１のデータ処理装置に対して、予め設定された抽出条件と共にデータの取得要求が送信される。
【００１３】
第２のデータ処理装置から抽出条件とデータの取得要求を受信した第１のデータ処理装置は、受信した抽出条件に該当するデータを、外部記憶装置へ転送されたデータの抽出用情報に基づいて抽出するとともに、抽出されたデータを取得するためのデータ取得用情報を第２のデータ処理装置に送信する。
【００１４】
このデータ取得用情報を受信した第２のデータ処理装置は、データ取得用情報に基づいて外部記憶装置からデータを取得する。これにより、データの受け渡しが完了する。
【００１５】
このように、第１のデータ処理装置は、外部記憶装置へ転送されたデータの中から、第２のデータ処理装置から送信された抽出条件に該当するデータのみを抽出し、そのデータを取得するための情報を、第２のデータ処理装置に送信するから、第２のデータ処理装置により取得されるデータ、つまり第１のデータ処理装置から受け渡されるデータは、予め設定された抽出条件に該当するデータのみとなる。このため、第１のデータ処理装置でユーザーが複数個のデータに対して受け渡す操作を行ったとしても、それらのデータの中から抽出条件に該当する特定のものだけを第２のデータ処理装置に受け渡すことができる。しかもデータ名等をリスト表示してユーザーに選択させる必要はないから、選択操作は不要であると共に、他のユーザーに不必要なデータ名等の情報を知られる恐れがなく、データの機密性を確保できる。
【００１６】
前項（２）に記載の発明によれば、第１のデータ処理装置における第１の操作が、第２のデータ処理装置における第２の操作前一定時間内に行われたデータのみを受け渡すことができるから、第１の操作から既に長時間が経過して不要と思われるデータが受け渡されるのを防止できる。
【００１７】
前項（３）に記載の発明によれば、第１のデータ処理装置における第１の操作が、第２のデータ処理装置における第２の操作が行われた場所と同一または一定範囲内の場所で行われたデータのみを受け渡すことができる。
【００１８】
前項（４）に記載の発明によれば、第１のデータ処理装置における第１の操作時の指の本数が、第２のデータ処理装置における第２の操作時の指の本数と同じデータのみを受け渡すことができる。
【００１９】
前項（５）に記載の発明によれば、第２のデータ処理装置における第２の操作時に開かれているアプリケーションでの処理が可能な種類のデータのみを受け渡すことができる。
【００２０】
前項（６）に記載の発明によれば、第１のデータ処理装置における第１の操作時の時間が新しいものから順に、第２のデータ処理装置における第２の操作時の指の移動量に応じて決定される範囲までのデータのみを受け渡すことができる。
【００２１】
前項（７）に記載の発明によれば、第１のデータ処理装置における第１の操作時の時間が新しいものから順に、第２のデータ処理装置における第２の操作時の指の速度に応じて決定される範囲までのデータのみを受け渡すことができる。
【００２２】
前項（８）に記載の発明によれば、第１のデータ処理装置における第１の操作時のネットワーク環境が、第２のデータ処理装置における第２の操作時のネットワーク環境と同じデータのみを受け渡すことができる。
【００２３】
前項（９）に記載の発明によれば、第２のデータ処理装置における第２の操作を行ったユーザーの権限で参照可能な範囲内のデータのみを受け渡すことができる。
【００２４】
前項（１０）に記載の発明によれば、第１のデータ処理装置における第１の操作時の時間が新しいものから順に、第２のデータ処理装置における第２の操作時の指とタッチパネルとの接触時間に応じて決定される範囲までのデータのみを受け渡すことができる。
【００２５】
前項（１１）に記載の発明によれば、予め設定された抽出条件に該当するデータのみを、第２のデータ処理装置へ受け渡すことができる。
【００２６】
前項（１２）に記載の発明によれば、予め設定された抽出条件に該当するデータのみを、第２のデータ処理装置へ受け渡すことができる第１のデータ処理装置となし得る。
【００２７】
前項（１３）に記載の発明によれば、予め設定された抽出条件に該当するデータのみを取得できる第２のデータ処理装置となし得る。
【００２８】
前項（１４）に記載の発明によれば、予め設定された抽出条件に該当するデータのみを取得できるデータ処理装置となし得る。
【図面の簡単な説明】
【００２９】
【図１】この発明の一実施形態に係るデータ受け渡しシステムを示す概略構成図である。
【図２】第１のデータ処理装置及び第２のデータ処理装置の主要部の構成を示すブロック図である。
【図３】「つまむ」操作および「はなす（離す）」操作を説明するための図である。
【図４】第１の情報処理端末１の動作を示すフローチャートである。
【図５】ファイル毎に記憶されたファイル保存先情報と抽出用情報の記憶テーブルを示す図である。
【図６】第２の情報処理端末１の動作を示すフローチャートである。
【図７】第２の操作を行った指の移動量と第１のデータ処理装置で選択されるファイルの個数との関係を示すテーブルである。
【図８】第２の操作を行った指の速度と第１のデータ処理装置で選択されるファイルの個数との関係を示すテーブルである。
【図９】第２の操作を行ったときの指とタッチパネルとの接触時間と第１のデータ処理装置で選択されるファイルの個数との関係を示すテーブルである。
【発明を実施するための形態】
【００３０】
以下、この発明の実施形態を図面に基づいて説明する。
【００３１】
図１は、この発明の一実施形態に係るデータ受け渡しシステムを示す概略構成図である。
【００３２】
このデータ受け渡しシステムは、ユーザーＡが所有する第１のデータ処理装置としての第１の情報処理端末１と、ユーザＢが所有する第２のデータ処理装置としての第２の情報処理端末２を備え、これらは無線ＬＡＮのアクセスポイント（ＡＰ）３を介してインターネット４上のクラウドコンピュータからなるファイルサーバー５に接続されている。なお、この実施形態では、受け渡されるデータが文書ファイル等のファイルである場合を説明する。また、図１では、普段のオフィスにおいてユーザーＡが自己の情報処理端末１を使用し、商談先の会議室に移動したときに、ユーザーＡの情報処理端末１に保存されているファイルを、ユーザーＢの情報処理端末２に受け渡す場合を示している。
【００３３】
前記情報処理端末１、２としてこの実施形態では、可搬可能なスマートフォン、タブレット端末、電子ぺーバーなどが使用されるが、これらに限定されることはない。
【００３４】
さらに、この実施形態では、各情報処理端末１、２にはそれぞれ人体通信モジュール６１、６２が備えられている。これらの人体通信モジュール６１、６２は、ユーザーの人体を通信経路に使用して、情報処理端末１、２間で通信を行うためのインターフェースであり、この人体通信モジュール６１、６２により、ユーザーが情報処理端末１、２のいずれにも接触しているときに、人体を介して情報処理端末１、２間でのデータの送受信が可能となっている。
【００３５】
図２は、第１の情報処理端末１及び第２の情報処理端末２の主要部の構成を示すブロック図である。
【００３６】
第１の情報処理端末１は、ファイル制御部１１と、記憶部１２と、表示操作／制御部１３と、接続部１４と、表示部１５と、タッチパネル１６を備えている。
【００３７】
ファイル制御部１１は、第１の情報処理端末１の全体を統括的に制御する。例えば、この実施形態では、記憶部１２に記憶されたファイルのうち、第１の操作である「つまむ」操作がなされたファイルをファイルサーバー５に送信したり、ファイルサーバー５から通知されたファイルの保存場所情報を記憶部１２に記憶したり、第２の情報処理端末２からの抽出条件に基づいて、抽出条件に該当するファイルを抽出したり、第２の情報処理端末２との間での人体通信によりデータの送受信を行う、等の各種の制御を実行する。
【００３８】
記憶部１２は例えばハードディスクドライブからなり、１個または複数個のファイルを記憶する他、「つまむ」操作がなされたファイル毎に、抽出用情報（後述）やファイルサーバー５から通知された保存場所情報を記憶したり、その他のアプリケーションやデータ等を記憶する。
【００３９】
表示操作／制御部１３は、表示部１５の表示を制御したり、タッチパネル１６のタッチ操作の種類やタッチした指の本数等を検出する。
【００４０】
接続部１４は、第１の情報処理端末１をインターネット４に接続したり、人体通信モジュール６１、６２を介して第２の情報処理端末２と人体通信を行うインターフェースである。
【００４１】
表示部１５は例えば液晶等からなり、各種の画面やメッセージ等を表示する。また、タッチパネル１６はマルチタッチが可能であり、タッチ操作がなされたときは表示操作／制御部１３はタッチ操作の内容、例えば第１の操作である「つまむ」操作や第２の操作である「はなす」操作を検出できるようになっている。また、タッチ操作時の指の移動量や移動速度、指とタッチパネル２６との接触時間などを検出できるようになっている。
【００４２】
一方、第２の情報処理端末２は、ファイル制御部２１と、記憶部２２と、表示操作／制御部２３と、接続部２４と、表示部２５と、タッチパネル２６を備えている。
【００４３】
ファイル制御部２１は、第２の情報処理端末２の全体を統括的に制御する。例えば、この実施形態では、タッチパネル２６上で第２の操作である「はなす」操作がなされたときに、予め設定された抽出条件をファイル取得要求と共に第１の情報処理端末１に送信したり、第１の情報処理端末１から通知されたファイルの保存場所情報にアクセスしてファイルを取得したり、第１の情報処理端末１との間での人体通信を行って、「つまむ」操作が行われた第１の情報処理端末１を特定する、等の各種の制御を実行する。
【００４４】
記憶部２２は例えばハードディスクドライブからなり、取得した１個または複数個のファイルやその他のデータ、アプリケーション等を記憶する。
【００４５】
表示操作／制御部２３は、表示部２５の表示を制御したり、タッチパネル２６のタッチ操作の種類やタッチした指の本数等を検出する。
【００４６】
接続部２４は、第２の情報処理端末２をインターネット４に接続したり、人体通信モジュール６２、６１を介して第１の情報処理端末１と人体通信を行うインターフェースである。
【００４７】
表示部２５は例えば液晶等からなり、各種の画面やメッセージ等を表示する。また、タッチパネル２６はマルチタッチが可能であり、ユーザーによってタッチ操作がなされたときは、表示操作／制御部１３はタッチ操作の内容、例えば第１の操作である「つまむ」操作や第２の操作である「はなす」操作を検出できるようになっている。また、タッチ操作を行ったときの指の移動量や移動速度、指とタッチパネル２６との接触時間などを検出できるようになっている。
【００４８】
ここで、上述の「つまむ」操作および「はなす（離す）」操作について説明する。
【００４９】
図３（Ａ）は、「つまむ」操作を説明するための図である。
【００５０】
図３（Ａ）において、「つまむ」操作とは、例えば２本の指を用いてタッチパネル１６（２６）上の２点Ｐ１，Ｐ２を指定し、続いて、その位置から直線状または略直線状に指を近づけ、近づいた位置である２点Ｐ’１、Ｐ’２で２本の指をタッチパネル１６（２６）から離す操作を指す。
【００５１】
表示操作／制御部１３（２３）は、タッチパネル１６（２６）上の２点Ｐ１，Ｐ２が同時に指示され、さらに、それぞれの位置から連続して直線状または略直線状に位置が変化し、元の２点間の間隔よりも短い間隔である２点Ｐ’１、Ｐ’２で両指定がほぼ同時に解除されたことが検出されると、「つまむ」操作がなされたと判定する。
【００５２】
図３（Ｂ）は、「はなす」操作を説明するための図である。
【００５３】
図３（Ｂ）において、「はなす」操作とは、例えば２本の指等を用いてタッチパネル１６（２６）上の２点Ｑ１，Ｑ２を指定し、続いて、その位置から直線状または略直線状に指を遠ざけ、ある程度離れた位置であるＱ’１、Ｑ’２で２本の指をタッチパネル１６（２６）から離す操作を指す。
【００５４】
表示操作／制御部１３（２３）は、タッチパネル１６（２６）上の２点Ｑ１，Ｑ２が同時に指示され、さらに、それぞれの位置から連続して直線状または略直線状に位置が変化し、元の２点間の間隔よりも長い間隔である２点Ｑ’１、Ｑ’２で両指定がほぼ同時に解除されたことが検出されると、「はなす」操作がなされたと判定する。
【００５５】
なお、「つまむ」操作及び「はなす」操作は２本の指に限定されることはなく、３本以上の指をタッチした状態で操作を行っても良い。
【００５６】
次に、図１に示したファイル受け渡しシステムの動作を、図４の第１の情報処理端末１の動作を示すフローチャート、及び図６の第２の情報処理端末２の動作を示すフローチャートを参照して説明する。
【００５７】
この例では、図１に示すように、ユーザーＡが所有し普段のオフィスで使用している第１の情報処理端末１を持参して、商談先の会議室に移動し、そこでユーザーＡの第１の情報処理端末１に存在しているファイルを、第１の情報処理端末１からユーザーＢが所持する第２の情報処理端末２に受け渡すものとする。
【００５８】
ユーザーＡの操作に基づいて、第１の情報処理端末１は図４のステップＳ０１で、ファイルまたはファイルを示すオブジェクトを画面上に表示したのち、ステップＳ０２でユーザーＡによるタッチ操作を待つ（ステップＳ０２でＮＯ）。ファイルを示すオブジェクトは、アイコンであっても良いしファイル名であっても良い。
【００５９】
タッチ操作があると（ステップＳ０２でＹＥＳ）、表示操作／制御部１３は、それがファイルに対する「つまむ」操作かどうかを判断する。ファイルに対する「つまむ」操作でなければ（ステップＳ０３でＮＯ）、ステップＳ１０で、ファイル制御部１１はタッチ操作に応じた処理を実行する。
【００６０】
ファイルまたはファイルアイコンに対する「つまむ」操作であれば（ステップＳ０３でＹＥＳ）、ステップＳ０４で、ファイル制御部１１はそのファイルまたはファイルアイコンに対応するファイルを特定し、インターネット４上のファイルサーバー５に転送する。
【００６１】
ファイルサーバー５はこのファイルを所定の保存先に保存すると共に、ファイルの保存先を示す保存先情報を第１の情報処理端末１に通知する。
【００６２】
第１の情報処理端末１はステップＳ０５で、ファイル保存先情報を受信したのち、これをファイル毎に記憶部１２に記憶する。同時に、ファイルを抽出するための各ファイルの抽出用情報をファイル毎に記憶する。
【００６３】
前記抽出用情報は、第２の情報処理端末２から送信される抽出条件に従って受け渡すファイルを抽出するための情報である。
【００６４】
図５に、ファイル毎に記憶されたファイル保存先情報と抽出用情報の記憶テーブルを示す。図５の例では、各ファイルの名称（ファイル種類の識別子を含む）と関連付けて、ファイルサーバー５におけるファイルの保存先のＵＲＬ（Uniform Resource Locator）が記憶されている。さらに、各ファイルの名称及びファイルの保存先ＵＲＬと関連付けて、「Ｔｉｍｅ」、「Ｌｏｃａｔｉｏｎ」、「ｙｕｂｉ」、「ＩＰ」、「Ｏｗｎｅｒ／ｇｒｐ」、「ｐｅｒｍｉｓｓｉｏｎ」の項目で示される抽出用情報が記憶されている。
【００６５】
「Ｔｉｍｅ」は「つまむ」操作が行われた時間を示す情報である。「Ｌｏｃａｔｉｏｎ」は「つまむ」操作が行われた場所を示す情報であり、緯度（Ｎ）と経度（Ｅ）により場所が示されている。この実施形態では、第１及び第２の情報処理端末１、２はＧＰＳ機能を有しており、このＧＰＳ機能により操作が行われた場所を容易に検出できるものとなされている。
【００６６】
「ｙｕｂｉ」はユーザーが「つまむ」操作を行ったときにタッチパネル１６にタッチした指の本数を示している。また「ＩＰ」はＩＰアドレス情報であり、「つまむ」操作を行ったときのネットワーク環境を示している。
【００６７】
「Ｏｗｎｅｒ／ｇｒｐ」はファイルの権限者または権限グループの情報を示し、「ｐｅｒｍｉｓｓｉｏｎ」は上記権限者または権限グループに対する制限情報、例えばファイルを参照可能か否かの権限等を数字で示している。これらの権限者または権限グループや制限情報は、各ファイル毎に予め設定されている。
【００６８】
図４に戻って、第１の情報処理端末１はステップＳ０７で、受け渡し先の第２の情報処理端末２からファイルの取得要求が抽出条件と共に送信されてきたかどうかを判断する。送信されていなければ（ステップＳ０７でＮＯ）、送信を待つ。送信されてきた場合（ステップＳ０７でＹＥＳ）、ステップＳ０８で、抽出条件を解析し、抽出条件に該当する抽出用情報を有するファイルを抽出した後、ステップＳ０９で、抽出したファイルのファイル保存先情報を第２の情報処理端末２に送信する。
【００６９】
第２の情報処理端末２から送信される抽出条件はユーザー等の操作によりあるいはデフォルトで予め設定されている。また、予め設定された複数の抽出条件からユーザーが選択しても良い。
【００７０】
こうして、第１の情報処理端末１で「つまむ」操作を行ったユーザーＡは、第１の情報処理端末１を保持した状態で、受け渡し先であるユーザーＢが所有する第２の情報処理端末２のタッチパネル２６上で、「はなす」操作を実行する。
【００７１】
第２の情報処理端末２は、図６のステップＳ２１で、ファイルの処理が可能なアプリケーションを開き、タッチパネル２６上でタッチ操作がなされるのを待つ（ステップＳ２１でＮＯ）。操作があると（ステップＳ２１でＹＥＳ）、ステップＳ２２でその操作が「はなす」操作かどうかを判定する。「はなす」操作でなければ（ステップＳ２２でＮＯ）、ステップＳ２７で、タッチ操作に応じた処理を実行する。
【００７２】
「はなす」操作であれば（ステップＳ２２でＹＥＳ）、ステップＳ２３で、現在自装置と人体通信で接続されている携帯情報端末を検索して、受け渡し元を特定する。この実施形態では、ユーザーＡが自身の第１の情報処理端末１を所持し、第２の情報処理端末２にタッチ操作していることから、第１の情報処理端末１と第２の情報処理端末２との間で、人体通信モジュール６１、６２及びユーザーＡの人体を介して通信が行われ、第１の情報処理端末１を受け渡し元として特定する。
【００７３】
次いで、第２の情報処理端末２はステップＳ２４で、同じく人体通信により第１の情報処理端末１に対して、ファイル取得要求と抽出条件を送信したのち、ステップＳ２５で、第１の情報処理端末１からファイル保存先情報を受信するのを待つ（ステップＳ２５でＮＯ）。受信すると（ステップＳ２５でＹＥＳ）、ステップＳ２６で、受信したファイル保存先情報で示されるファイルサーバー５のファイル保存先にアクセスして、ファイルを取得する。
【００７４】
第１の情報処理端末１から受信したファイル保存先情報は、前述したように、第２の情報処理端末２が第１の情報処理端末１に送信した抽出条件に該当するファイルのみの保存先情報であるから、第１の情報処理端末１で「つまむ」操作が行われたファイルのうち抽出条件に該当する特定のファイルのみを、ファイルサーバー５から取得して、受け渡すことができる。しかもファイル名等を第２の情報処理端末２にリスト表示して、受け渡すファイルをユーザーに選択させる必要はないから、他のユーザーＢ等に不必要なファイル名等の情報を知られる恐れがなく、ファイルの機密性を確保できる。
【００７５】
抽出条件の具体例について説明すると、例えば、抽出条件が、「つまむ」操作が第２の情報処理端末２における「はなす」操作前一定時間内に行われたファイルの抽出である場合、この抽出条件を受信した第１の情報処理端末１は、図５の記憶テーブルの抽出用情報の中の「Ｔｉｍｅ」の項目を参照する。そして、既に「つまむ」操作が行われファイルサーバー５に保存されているファイルの中から、抽出条件に含まれて通知された「はなす」操作が行われた時刻を基準として、第２の情報処理端末２から指定された一定時間（例えば５分）以内のファイルを抽出する。そして、抽出したファイルの保存場所情報を、第２の情報処理端末２に送信する。この例では、「つまむ」操作から既に長時間が経過して不要になっていると思われるファイルが第２の情報処理端末２に受け渡されるのを防止できる。
【００７６】
また、抽出条件は、第１の情報処理端末１における「つまむ」操作が第２の情報処理端末２における「はなす」操作が行われた場所と同一または一定範囲内の場所で行われたファイルの抽出であっても良い。この場合、この抽出条件を受信した第１の情報処理端末１は、図５の記憶テーブルの抽出用情報の中の「Ｌｏｃａｔｉｏｎ」の項目を参照する。そして、既に「つまむ」操作が行われファイルサーバー５に保存されているファイルの中から、抽出条件に含まれて通知された「はなす」操作が行われた場所と同じ場所または一定範囲内の場所で「つまむ」操作が行われているファイルを抽出する。そして、抽出したファイルの保存場所情報を、第２の情報処理端末２に送信する。
【００７７】
また、抽出条件は、第１の情報処理端末１における「つまむ」操作がなされたときの指の本数が、第２の情報処理端末２における「はなす」操作が行われたときの指の本数と同じファイルの抽出であっても良い。この場合、この抽出条件を受信した第１の情報処理端末１は、図５の記憶テーブルの抽出用情報の中の「ｙｕｂｉ」の項目を参照する。そして、既に「つまむ」操作が行われファイルサーバー５に保存されているファイルの中から、抽出条件に含まれて通知された「はなす」操作が行われたときの指の本数と同じ本数の指で「つまむ」操作が行われているファイルを抽出する。そして、抽出したファイルの保存場所情報を、第２の情報処理端末２に送信する。
【００７８】
また、抽出条件は、第１の情報処理端末１における「つまむ」操作がなされたファイルの種類が、第２の情報処理端末２において「はなす」操作が行われたときに開かれているアプリケーションでの処理が可能な種類のファイル（例えばｐｄｆファイル等）の抽出であっても良い。この場合、この抽出条件を受信した第１の情報処理端末１は、図５の記憶テーブルの抽出用情報の中の「Ｎａｍｅ」の項目を参照する。そして、既に「つまむ」操作が行われファイルサーバー５に保存されているファイルの中から、抽出条件に含まれて第２の情報処理端末２から通知されたファイル種類と同じ種類のファイルを抽出する。そして、抽出したファイルの保存場所情報を、第２の情報処理端末２に送信する。抽出されたファイルが複数個存在する場合は、第２の情報処理端末２がそれらのファイル名等をリスト表示して、ユーザーに選択させても良い。
【００７９】
また、抽出条件は、第１の情報処理端末１における「つまむ」操作がなされたときのネットワーク環境が、第２の情報処理端末２において「はなす」操作が行われたときのネットワーク環境と同一のファイルの抽出であっても良い。この場合、この抽出条件を受信した第１の情報処理端末１は、図５の記憶テーブルの抽出用情報の中の「ＩＰ」の項目を参照する。そして、既に「つまむ」操作が行われファイルサーバー５に保存されているファイルの中から、抽出条件に含まれて通知された第２の情報処理端末２のネットワーク環境（ＩＰアドレス情報）と同じネットワーク環境のファイルを抽出する。そして、抽出したファイルの保存場所情報を、第２の情報処理端末２に送信する。
【００８０】
また、抽出条件は、第２の情報処理端末２において「はなす」操作を行ったユーザーの権限で参照可能な範囲内のファイルの抽出であっても良い。この場合、この抽出条件を受信した第１の情報処理端末１は、図５の記憶テーブルの抽出用情報の中の「Ｏｗｎｅｒ／ｇｒｐ」及び「ｐｅｒｍｉｓｓｉｏｎ」の項目を参照する。そして、既に「つまむ」操作が行われファイルサーバー５に保存されているファイルの中から、抽出条件に含まれて通知された「はなす」操作を行ったユーザーまたはグループと同じユーザーまたはグループのファイルで、かつ参照が許可されているファイルを抽出する。そして、抽出したファイルの保存場所情報を、第２の情報処理端末２に送信する。
【００８１】
また、抽出条件として、第１の情報処理端末１における「つかむ」操作時の時間が新しいものから順に、第２の情報処理端末２において「はなす」操作が行われたときの指の移動量に応じて決定される範囲までのファイルを抽出するという条件を設定しても良い。
【００８２】
例えば、指の移動量と選択個数との関係を予め図７のテーブルのように設定しておく。図７の例では、指の移動量（図７では「間隔」と記している）が１ｃｍ以下の場合は選択するファイル数は１個、１ｃｍを超え２ｃｍ以下の場合は２個、２ｃｍを超え３ｃｍ以下の場合は３個、３ｃｍを超える場合は全てという設定がなされている。
【００８３】
この設定が第１の情報処理端末１に記憶されている場合、この抽出条件を受信した第１の情報処理端末１は、既に「つまむ」操作が行われファイルサーバー５に保存されているファイルの中から、新しいものから順に、抽出条件に含まれて通知された指の移動量に対応する個数のファイルを抽出する。そして、抽出したファイルの保存場所情報を、第２の情報処理端末２に送信する。なお、図７に示したテーブルを第２の情報処理端末２が保持している場合、第２の情報処理端末２が指の移動量ではなく抽出個数を第１の情報処理端末１に通知しても良い。
【００８４】
また、抽出条件として、第１の情報処理端末１における「つかむ」操作時の時間が新しいものから順に、第２の情報処理端末２において「はなす」操作が行われたときの指の移動速度に応じて決定される範囲までのファイルを抽出するという条件を設定しても良い。
【００８５】
例えば、指の移動速度と選択個数との関係を予め図８のテーブルのように設定しておく。図８の例では、指の速度が１ｃｍ／ｓ以下の場合は選択するファイル数は１個、１ｃｍ／ｓを超え２ｃｍ／ｓ以下の場合は２個、２ｃｍ／ｓを超え３ｃｍ／ｓ以下の場合は３個、３ｃｍ／ｓを超える場合は全てという設定がなされている。
【００８６】
この設定が第１の情報処理端末１に記憶されている場合、この抽出条件を受信した第１の情報処理端末１は、既に「つまむ」操作が行われファイルサーバー５に保存されているファイルの中から、新しいものから順に、抽出条件に含まれて通知された指の移動量に対応する個数のファイルを抽出する。そして、抽出したファイルの保存場所情報を、第２の情報処理端末２に送信する。なお、図８に示したテーブルを第２の情報処理端末２が保持している場合、第２の情報処理端末２が指の移動速度ではなく抽出個数を第１の情報処理端末１に通知しても良い。
【００８７】
また、抽出条件として、第１の情報処理端末１における「つかむ」操作時の時間が新しいものから順に、第２の情報処理端末２において「はなす」操作が行われたときの指とタッチパネル２６との接触時間に応じて決定される範囲までのファイルを抽出するという条件を設定しても良い。
【００８８】
例えば、指とタッチパネル２６の接触時間と選択個数との関係を予め図９のテーブルのように設定しておく。図９の例では、接触時間が１ｓ以下の場合は選択するファイル数は１個、１ｓを超え２ｓ以下の場合は２個、２ｓを超え３ｓ以下の場合は３個、３ｓを超える場合は全てという設定がなされている。
【００８９】
この設定が第１の情報処理端末１に記憶されている場合、この抽出条件を受信した第１の情報処理端末１は、既に「つまむ」操作が行われファイルサーバー５に保存されているファイルの中から、新しいものから順に、抽出条件に含まれて通知された接触時間に対応する個数のファイルを抽出する。そして、抽出したファイルの保存場所情報を、第２の情報処理端末２に送信する。なお、図９に示したテーブルを第２の情報処理端末２が保持している場合、第２の情報処理端末２が接触時間ではなく抽出個数を第１の情報処理端末１に通知しても良い。
【００９０】
以上、本発明の一実施形態を説明したが、本発明は上記実施形態に限定されることはない。
【００９１】
例えば、第１の情報処理端末１と第２の情報処理端末２が別の装置である場合を示したが、一つの情報処理端末において、「つまむ」操作と「はなす」操作を行うことにより、抽出条件に該当するファイルのみを抽出する構成であっても良い。
【００９２】
また、人体通信機能を用いて受け渡し元の第１の情報処理端末１を特定するとともに、第１の情報処理端末１と第２の処理端末２の間でファイル取得要求、抽出条件、ファイル保存場所情報等のデータの送受信を行うものとしたが、人体通信を使用することなく、ユーザーが第２の情報処理端末２からネットワークを介して第１の情報処理端末１に接続し、データの送受信を行っても良い。
【００９３】
また、データ処理装置が情報処理端末１、２である場合を例示したが、データ処理装置は多機能デジタル複合機であるＭＦＰ等の画像処理装置であっても良く、画像処理装置の操作パネル上で「つかむ」操作や「はなす」操作を行うことで、前述した情報処理端末１、２の場合と同様の機能を発揮させることができる。
【符号の説明】
【００９４】
１、２      情報処理端末
１１、２１  ファイル制御部
１２、２２  記憶部
１３、２３  表示操作／制御部
１４、２４  接続部
１５、２５  表示部
１６、２６  タッチパネル
６１、６２  人体通信モジュール
５          ファイルサーバー
【図１】
2014238797.tif 000003
【図２】
2014238797.tif 000004
【図３】
2014238797.tif 000005
【図４】
2014238797.tif 000006
【図５】
2014238797.tif 000007
【図６】
2014238797.tif 000008
【図７】
2014238797.tif 000009
【図８】
2014238797.tif 000010
【図９】
2014238797.tif 000011